(57)【要約】【課題】風雨の侵入とフード部の雨水の滴下音および通気抵抗を低減できる外壁端末換気口を提供することを目的とする。【解決手段】筒状部１の外方で外壁面側に設けられるベース部２の前面を囲む形状で上下に開口部３を形成したフード部４と、このフード部４の内部に設けられる整流板５とを備え、整流板５をベース部２の上端部６からフード部４の前方側内面に向かいなめらかな略円弧状に下降する形状で下端部８が筒状部１の中心線９より上方で、フード部４の内壁７との間に第１の隙間１０を形成することにより、風雨の侵入とフード部４の雨水の滴下音および通気抵抗を低減できる外壁端末換気口を得られる。【選択図】図１
2008215743.tif 000002
【特許請求の範囲】
【請求項１】
ダクトに接続される筒状部と、この筒状部の外方で外壁面側に設けられるベース部と、このベース部の前面を囲む形状で上下に開口部を形成したフード部と、このフード部の内部に設けられる整流板とを備え、前記整流板を前記ベース部の上端部から前記フード部の前方側内面に向かいなめらかな略円弧状に下降する形状で下端部が前記筒状部の中心より上方で、前記フード部の前方側内面との間に第１の隙間を形成するように構成した外壁端末換気口。
【請求項２】
整流板のベース部側の起点部を、ベース部の上端部から筒状部の内壁との間に形成した請求項１記載の外壁端末換気口。
【請求項３】
整流板の傾斜起点部をベース部から第２の隙間を空けて設けるとともに、ベース部の上端部から筒状部の内壁との間に形成した請求項１または２記載の外壁端末換気口。
【請求項４】
フード部の断面を略半円筒状に形成し、整流板とフード部との第１の隙間を、ベース部の近傍において小さくなるように構成した請求項１〜３のいずれかに記載の外壁端末換気口。
【請求項５】
整流板の起点部近傍から下端部に向かい複数のリブを形成した請求項１〜４のいずれかに記載の外壁端末換気口。
【請求項６】
整流板の起点部から下端部に向かう両サイドに、立ち上がった第１のフランジ部を設けた請求項１〜５のいずれかに記載の外壁端末換気口。
【請求項７】
フード部の上下端部に折り返し部を設けた請求項１〜６のいずれかに記載の外壁端末換気口。
【請求項８】
フード部の上端部分を傾斜した請求項１〜７のいずれかに記載の外壁端末換気口。
【請求項９】
フード部の上端部分に対候性を有する軟質材を設けた請求項１〜８のいずれかに記載の外壁端末換気口。
【請求項１０】
筒状部の設けられるベース部に格子状のガラリまたは網状のネットを設けた請求項１〜９のいずれかに記載の外壁端末換気口。
【請求項１１】
フード部の下部開口に格子状のガラリまたは網状のネットを設けた請求項１〜１０のいずれかに記載の外壁端末換気口。
【請求項１２】
フード部の上部開口に格子状のガラリまたは網状のネットを設けた請求項１〜１１のいずれかに記載の外壁端末換気口。
【発明の詳細な説明】
【技術分野】
【０００１】
室内に設けた換気装置と連通するダクトの端部に接続される形状で外壁に設けられる外壁端末換気口に関する。
【背景技術】
【０００２】
従来、この種の外壁端末換気口の一例として換気用通風機が知られている（例えば、特許文献１参照）。
【０００３】
以下、その換気用通風機について図２３および図２４を参照にしながら説明する。
【０００４】
図に示すように、壁に取り付けられる開口１０１を有する通気筒１０２と、この通気筒１０２の一端に固着され、開口１０１から外方へ多角形状に傾斜して形成され、開口１０１の中心より上方を覆うフード１０３と、通気筒１０２の一端の開口１０１に設けられるフード１０３から所定間隔をおいてフード１０３を周回して囲むように設けられるカバー１０４を設け構成している。
【特許文献１】特許第２６００３８１号公報（第２項、図１、図３）
【発明の開示】
【発明が解決しようとする課題】
【０００５】
このような従来の換気用通風機では、フード１０３は通気筒１０２の開口部近傍１０５を急激に塞いでしまうことで通気抵抗が上がることの無いよう、フード１０３上部が壁面に対し外方へなだらかに傾斜した水平面１０６が必要になるため、本体上方から落下してくる雨水が衝突するときに生じる滴下音が大きくなるという課題があり、フード１０３上で雨水が衝突するときに生じる滴下音を緩和することが要求されている。
【０００６】
また、フード１０３が外方へ多角形状有する傾斜にて構成しているため、室内の換気装置からダクトを介し通気筒１０２内に送られてきた排気流がスムーズに流れにくくなり本体の通気抵抗が大きくなるという課題があり、通気抵抗を少なくすることが要求されている。
【０００７】
本発明は、このような従来の課題を解決するものであり、少ない構成部品で風雨の侵入と雨水滴下音と本体通気抵抗とを大幅に低減し、経済的で信頼性を向上させた外壁端末換気口を提供することを目的とする。
【課題を解決するための手段】
【０００８】
本発明の外壁端末換気口は、上記目的を達成するために、ダクトに接続される筒状部と、この筒状部の外方で外壁面側に設けられるベース部と、このベース部の前面を囲む形状で上下に開口部を形成したフード部と、このフード部の内部に設けられる整流板とを備え、前記整流板を前記ベース部の上端部から前記フード部の前方側内面に向かいなめらかな略円弧状に下降する形状で下端部が前記筒状部の中心より上方で、前記フード部の前方側内面との間に第１の隙間を形成するように構成したものである。
【０００９】
また、他の手段は、整流板のベース部側の起点部を、ベース部の上端部から筒状部の内壁との間に形成したものである。
【００１０】
また、他の手段は、整流板の傾斜起点部をベース部から第２の隙間を空けて設けるとともに、ベース部の上端部から筒状部の内壁との間に形成したものである。
【００１１】
また、他の手段は、フード部の断面を略半円筒状に形成し、整流板とフード部との第１の隙間を、ベース部の近傍において小さくなるように構成したものである。
【００１２】
また、他の手段は、整流板の起点部近傍から下端部に向かい複数のリブを形成したものである。
【００１３】
また、他の手段は、整流板の起点部から下端部に向かう両サイドに、立ち上がった第１のフランジ部を設けたものである。
【００１４】
また、他の手段は、フード部の上下端部に折り返し部を設けたものである。
【００１５】
また、他の手段は、フード部の上端部分を傾斜したものである。
【００１６】
また、他の手段は、フード部の上端部分に対候性を有する軟質材を設けたものである。
【００１７】
また、他の手段は、筒状部の設けられるベース部に格子状のガラリまたは網状のネットを設けたものである。
【００１８】
また、他の手段は、フード部の下部開口に格子状のガラリまたは網状のネットを設けたものである。
【００１９】
また、他の手段は、フード部の上部開口に格子状のガラリまたは網状のネットを設けたものである。
【発明の効果】
【００２０】
本発明によれば、ダクトに接続される筒状部と、この筒状部の外方で外壁面側に設けられるベース部と、このベース部の前面を囲む形状で上下に開口部を形成したフード部と、このフード部の内部に設けられる整流板とを備え、前記整流板を前記ベース部の上端部から前記フード部の前方側内面に向かいなめらかな略円弧状に下降する形状で下端部が前記筒状部の中心より上方で、前記フード部の前方側内面との間に第１の隙間を形成するように構成したことにより、少ない構成部品で風雨の侵入と雨水滴下音とフード部の通気抵抗を大幅に低減し、経済的で信頼性を高くすることができるという効果のある外壁端末換気口を提供することができる。
【００２１】
また、整流板のベース部側の起点部を、ベース部の上端部から筒状部の内壁との間に形成したことにより、整流板の小型化と低コストが実現できるという効果のある外壁端末換気口を提供することができる。
【００２２】
また、整流板の傾斜起点部をベース部から第２の隙間を空けて設けるとともに、ベース部の上端部から筒状部の内壁との間に形成したことにより、筒状部内への異物の侵入を防止できるという効果のある外壁端末換気口を提供することができる。
【００２３】
また、フード部の断面を略半円筒状に形成し、整流板とフード部との第１の隙間を、ベース部の近傍において小さくなるように構成したことにより、筒状部内への風雨の侵入をより防止できるという効果のある外壁端末換気口を提供することができる。
【００２４】
また、整流板の起点部近傍から下端部に向かい複数のリブを形成したことにより、雨水滴下音と筒状部内への風雨の侵入をより防止できるという効果のある外壁端末換気口を提供することができる。
【００２５】
また、整流板の起点部から下端部に向かう両サイドに、立ち上がった第１のフランジ部を設けたことにより、雨水滴下音と筒状部内への風雨の侵入をより防止できるという効果のある外壁端末換気口を提供することができる。
【００２６】
また、フード部の上下端部に折り返し部を設けたことにより、フード部の安全性、加工性、強度を向上できるという効果のある外壁端末換気口を提供することができる。
【００２７】
また、フード部の上端部分を傾斜したことにより、鳥着地による糞害を軽減できるという効果のある外壁端末換気口を提供することができる。
【００２８】
また、フード部の上端部分に対候性を有する軟質材を設けたことにより、鳥着地による糞害を軽減できるという効果のある外壁端末換気口を提供することができる。
【００２９】
また、筒状部の設けられるベース部に格子状のガラリまたは網状のネットを設けたことにより、筒状部内への異物の侵入と風雨の侵入を防止できるという効果のある外壁端末換気口を提供することができる。
【００３０】
また、フード部の下部開口に格子状のガラリまたは網状のネットを設けたことにより、筒状部内への異物の侵入と風雨の侵入を防止できるという効果のある外壁端末換気口を提供することができる。
【００３１】
また、フード部の上部開口に格子状のガラリまたは網状のネットを設けたことにより、鳥巣などの異物の堆積による通気部分の目詰まりや鳥着地による糞害、また、筒状部内への異物の侵入と風雨の侵入を防止できるという効果のある外壁端末換気口を提供することができる。
【発明を実施するための最良の形態】
【００３２】
本発明の請求項１記載の外壁端末換気口は、ダクトに接続される筒状部と、この筒状部の外方で外壁面側に設けられるベース部と、このベース部の前面を囲む形状で上下に開口部を形成したフード部と、このフード部の内部に設けられる整流板とを備え、前記整流板を前記ベース部の上端部から前記フード部の前方側内面に向かいなめらかな略円弧状に下降する形状で下端部が前記筒状部の中心より上方で、前記フード部の前方側内面との間に第１の隙間を形成するように構成したものであり、フード部の前方からの風雨を筒状部に侵入するのを防ぎ、整流板が上方からの風雨が筒状部に侵入するのを防ぐとともに、下方からの風雨を上方へバイパスさせて筒状部内への侵入を緩和でき、また、整流板をなだらかに下降するよう平板を数回折り曲げて構成するよりも、筒状部の中心より上方で整流板をベース部の上端部からなめらかな略円弧状に下降する形状としたことで、整流板の小型化と低コスト化及び強度アップが図れるとともに、上方から雨水が滴下した場合には雫が徐々に分散しながら衝突し拡散して下方へスムーズに流し落とすことが実現できるので、その衝突音も最小限に低減でき、また、同様に整流板を上端部からなめらかな略円弧状に下降する形状としたことで、筒状部からの排気流がよりスムーズに整流され低圧損化が実現できるという作用を有する。
【００３３】
また、整流板のベース部側の起点部を、ベース部の上端部から筒状部の内壁との間に形成したものであり、整流板のベース部側の起点部を、ベース部の上端部から筒状部の内壁との間に形成するので、室内から筒状部を介して排出される排気流が、整流板上部で乱流となるのを低減できるとともに、整流板がベース部上端から延長するよりも、整流板の起点位置が下がって形成されるので、整流板の小型化と低コストが実現できるという作用を有する。
【００３４】
また、整流板の傾斜起点部をベース部から第２の隙間を空けて設けるとともに、ベース部の上端部から筒状部の内壁との間に形成したものであり、ベース部と整流板との間に第２の隙間が形成されることにより、整流板上部に発生する乱流を最小限に抑えるとともに、整流板のベース部側の起点部よりも大きなサイズの格子状のガラリまたは網状のネットを着脱可能に構成でき、また、それらをベース部の通気用開口より十分大きく構成できるので、セット時の位置ずれによる隙間発生による虫などの異物が室内に侵入するのを軽減でき、また、ベース部と整流板との間の第２の隙間に格子状のガラリまたは網状のネットを挿入し挟み込むことで、それらを確実にベースに密着できるように位置規制が実現でき、ベース部と格子状のガラリまたは網状のネットとの隙間からの虫などの異物の室内への侵入を防止できるという作用を有する。
【００３５】
また、フード部の断面を略半円筒状に形成し、整流板とフード部との第１の隙間を、ベース部の近傍において小さくなるように構成したものであり、本体上方から筒状部内への死角が大きくなることで、筒状部内への風雨の侵入をより防止できるという作用を有する。
【００３６】
また、整流板の起点部近傍から下端部に向かい複数のリブを形成したものであり、整流板がリブにより補強されるため整流板で受ける上方からの雨水の滴下による騒音がより低減されるとともに、リブの方向が整流板の傾斜方向と同じであるため、雨水の流れを妨げずに効率良く下方に流し落とすことができ、雨水が整流板の筒状部側に回り込んで筒状部内に侵入するのを低減できるという作用を有する。
【００３７】
また、整流板の起点部から下端部に向かう両サイドに、立ち上がった第１のフランジ部を設けたものであり、整流板がフランジにより補強されるため、整流板で受ける上方からの雨水の滴下による騒音がより軽減できるとともに、フランジにより整流板下端近傍まで、雨水を筒状部に回り込むことなく集約させることができ整流板下端より大粒のまとまった川状の雨水となって落ちるため、フード部下方からの風雨の巻き込みにより筒状部内への雨水の侵入がより軽減できるという作用を有する。
【００３８】
また、フード部の上下端部に折り返し部を設けたものであり、フード部の上下端部が切放しのままであると、フード部の組立または施工時に怪我の危険性が大きいが、折り返して密着させることで丸みが形成され怪我の危険性が軽減できるとともに、フード部形状も成形し易くなり、強度を向上できるという作用を有する。
【００３９】
また、フード部の上端部分を傾斜したものであり、フード上部が傾斜しているので、野鳥がもし着地しても鳥自身が安定しにくくなるため、鳥着地による糞害が軽減できるという作用を有する。
【００４０】
また、フード部の上端部分に対候性を有する軟質材を設けたものであり、フード部の上端部に鳥が着地しようとしても、フード部の上端部が軟質材で形成されているので、鳥自身の自重で軟質材が変形し、バランスを維持できなくなるために鳥の休憩足場となりづらくなって、鳥着地による糞害がより軽減できるという作用を有する。
【００４１】
また、筒状部の設けられるベース部に格子状のガラリまたは網状のネットを設けたものであり、ベース上で筒状部内への異物侵入が防止できるとともに、本体下方向からの風雨巻き込みによる雨水侵入がガラリまたはネットと干渉することでより低減できるという作用を有する。
【００４２】
また、フード部の下部開口に格子状のガラリまたは網状のネットを設たものであり、本体下部開口にて異物侵入が防止できるとともに、本体下方向からの風雨巻き込みによる雨水侵入がガラリまたはネットと干渉することでより低減できるという作用を有する。
【００４３】
また、フード部の上部開口に格子状のガラリまたは網状のネットを設けたものであり、本体上部の凹部を利用して鳥が巣を作成するなどして不要物が堆積するのを防止でき、また、本体下面に異物侵入防止のための格子状のガラリまたは網状のネットを合わせて使用することで、本体上部フードと整流板との隙間からの侵入する異物が低減できるとともに、隙間から侵入した異物による本体下面のガラリまたはネットの目詰まりを低減できるという作用を有する。
【００４４】
以下、本発明の実施の形態について、図面を参照しながら説明する。
【００４５】
（実施の形態１）
図１〜図３に示すように、室内に設けられた換気装置に連通するダクト（図示せず）に接続される筒状部１と、この筒状部１の外方で外壁面側に設けられるベース部２と、このベース部２の前面を囲む形状で上下に開口部３を形成したフード部４と、このフード部４の内部に設けられる整流板５とを備え、前記整流板５を前記ベース部２の上端部６から前記フード部４の前方側にある内壁７に向かいなめらかな略円弧状に下降する形状で下端部８が前記筒状部１の中心線９より上方で、前記フード部４の前方側にある内壁７との間に第１の隙間１０を形成するように構成する。
【００４６】
上記構成により、室内に設けられた換気装置とダクトを介して接続され給排気利用される外壁端末換気口において、フード部４の前方からの風雨を筒状部１に侵入するのを防ぎ、整流板５が上方からの風雨が筒状部１に侵入するのを防ぐとともに、下方からの風雨を上方へバイパスさせて筒状部１内への侵入を緩和でき、また、整流板５をなだらかに下降するよう平板を数回折り曲げて構成するよりも、筒状部１の中心線９より上方で整流板５をベース部２の上端部６からなめらかな略円弧状に下降する形状としたことで、整流板５の小型化と低コスト化及び強度アップが図れるとともに、上方から雨水が滴下した場合には雫が徐々に分散しながら衝突し拡散して下方へスムーズに流し落とすことが実現できるので、その衝突音も最小限に低減でき、また、同様に整流板５を上端部６からなめらかな略円弧状に下降する形状としたことで、筒状部１からの排気流がよりスムーズに整流され低圧損化が実現できる。
【００４７】
このように本発明の実施の形態１の外壁端末換気口によれば、少ない構成部品で風雨の侵入と雨水滴下音とフード部の通気抵抗を大幅に低減し、経済的で信頼性の高いこととなる。
【００４８】
（実施の形態２）
図４に示すように、整流板５Ａのベース部２Ａ側の起点部１１を、ベース部２Ａの上端部６Ａから筒状部１Ａの内径１２との間（ａ）に形成し構成する。
【００４９】
上記構成により、整流板５Ａのベース部２Ａ側の起点部１１を、ベース部２Ａの上端部６Ａから筒状部１Ａの内径１２との間（ａ）に形成するので、室内から筒状部１Ａを介して排出される排気流が、整流板５Ａ上部で乱流となるのを低減できるとともに、整流板５Ａがベース部２Ａの上端部６Ａから延長するよりも、整流板５Ａの起点部１１位置が下がって形成されるので、整流板５Ａの小型化と低コストが実現できる。
【００５０】
このように本発明の実施の形態２の外壁端末換気口によれば、整流板５Ａの小型化と低コストが実現できることとなる。
【００５１】
（実施の形態３）
図５〜図７に示すように、整流板５Ｂの傾斜の起点部１１Ａをベース部２Ｂから第２の隙間１３を空けて設けるとともに、ベース部２Ｂの上端部６Ｂから筒状部１Ｂの内径１２Ａとの間（ｂ）に形成し構成する。
【００５２】
上記構成により、ベース部２Ｂと整流板５Ｂとの間に第２の隙間１３が形成されることにより、整流板５Ｂ上部に発生する乱流を最小限に抑えるとともに、整流板５Ｂのベース部２Ｂ側の起点部１１Ａよりも大きなサイズの格子状のガラリ１４または網状のネット１５を着脱可能に構成でき、また、それらをベース部２Ｂの通気用開口より十分大きく構成できるので、セット時の位置ずれによる隙間発生による虫などの異物が室内に侵入するのを軽減でき、また、ベース部２Ｂと整流板５Ｂとの間の第２の隙間１３に格子状のガラリ１４または網状のネット１５を挿入し挟み込むとともにねじ１６等により取り付けることで、それらを確実にベース部２Ｂに密着できるように位置規制と固定が実現でき、ベース部２Ｂと格子状のガラリ１４または網状のネット１５との隙間からの虫などの異物の室内への侵入を防止できる。
【００５３】
このように本発明の実施の形態３の外壁端末換気口によれば、筒状部１Ｂ内への異物の侵入を防止できることとなる。
【００５４】
（実施の形態４）
図８に示すように、フード部４Ａの断面を略半円筒状に形成し、整流板５Ｃとフード部４Ａとの第１の隙間１０Ａを、ベース部２Ｃの近傍において小さくなるように構成した。
【００５５】
上記構成により、フード部４Ａ上方から筒状部１内への死角が大きくなることで、筒状部１内への風雨の侵入をより防止できる。
【００５６】
このように本発明の実施の形態４の外壁端末換気口によれば、筒状部１内への風雨の侵入をより防止できることとなる。
【００５７】
（実施の形態５）
図９から図１１に示すように、整流板５Ｄの起点部１１Ｂ近傍から下端部８Ａに向かい複数のリブ１７を形成した構成とする。
【００５８】
上記構成により、整流板５Ｄがリブ１７により補強されるため整流板５Ｄで受ける上方からの雨水の滴下による騒音がより低減されるとともに、リブ１７の方向が整流板５Ｄの傾斜方向と同じであるため、雨水の流れを妨げずに効率良く下方に流し落とすことができ、雨水が整流板５Ｄの筒状部１側に回り込んで筒状部１内に侵入するのを低減できる。
【００５９】
このように本発明の実施の形態５の外壁端末換気口によれば、雨水滴下音と筒状部１内への風雨の侵入をより防止できることとなる。
【００６０】
（実施の形態６）
図１２および図１３に示すように、整流板５Ｅの起点部１１Ｃから下端部８Ｂに向かう両サイドに、立ち上がった第１のフランジ部１８を設けた構成とする。
【００６１】
上記構成により、整流板５Ｅが第１のフランジ部１８により補強されるため、整流板５Ｅで受ける上方からの雨水の滴下による騒音がより軽減できるとともに、第１のフランジ部１８により整流板５Ｅの下端部８Ｂ近傍まで、雨水を筒状部１側に回り込むことなく集約させることができ整流板５Ｅの下端より大粒のまとまった川状の雨水となって落ちるため、フード部４下方からの風雨の巻き込みにより筒状部１内への雨水の侵入がより軽減できる。
【００６２】
このように本発明の実施の形態６の外壁端末換気口によれば、雨水滴下音と筒状部１内への風雨の侵入をより防止できることとなる。
【００６３】
（実施の形態７）
図１４に示すように、フード部４Ｂの上下端部に折り返し部１９を設けた構成とする。
【００６４】
上記構成により、フード部４Ｂの上下端部が切放しのままであると、フード部４Ｂの組立または施工時に怪我の危険性が大きいが、折り返して密着させて折り返し部１９を形成することにより端部は丸みが形成され怪我の危険性が軽減できるとともに、フード部４Ｂの形状も成形し易くなり強度も向上できる。
【００６５】
このように本発明の実施の形態７の外壁端末換気口によれば、フード部４Ｂの安全性、加工性、強度を向上できることとなる。
【００６６】
（実施の形態８）
図１５に示すように、フード部４Ｃの上端部分２０を傾斜した構成とする。
【００６７】
上記構成により、フード部４Ｃの上端部分２０が傾斜しているので、野鳥がもし着地しても鳥自身が安定しにくくなるため、鳥着地による糞害が軽減できる。
【００６８】
このように本発明の実施の形態８の外壁端末換気口によれば、鳥着地による糞害を軽減できることとなる。
【００６９】
（実施の形態９）
図１６に示すように、フード部４Ｄの上端部分２０Ａにプロピレンゴム等の対候性を有する軟質材２１を設けた構成とする。
【００７０】
上記構成により、フード部４Ｄの上端部分２０Ａに鳥が着地しようとしても、フード部４Ｄの上端部分２０Ａが軟質材２１で形成されているので、鳥自身の自重で軟質材２１が変形し、バランスを維持できなくなるために鳥の休憩足場となりづらくなって、鳥着地による糞害がより軽減できる。
【００７１】
このように本発明の実施の形態９の外壁端末換気口によれば、鳥着地による糞害を軽減できることとなる。
【００７２】
（実施の形態１０）
図１７および図１８に示すように、筒状部１Ｂの設けられるベース部２Ｃに格子状のガラリ１４Ａまたは網状のネット１５Ａをねじ１６等により取り付けて構成とする。
【００７３】
上記構成により、ベース部２Ｃ上で筒状部１Ｂ内への異物侵入が防止できるとともに、フード部４の下方向からの風雨巻き込みによる筒状部１Ｂ内への雨水侵入がガラリ１４Ａまたはネット１５Ａと干渉することでより低減できる。
【００７４】
このように本発明の実施の形態１０の外壁端末換気口によれば、筒状部１Ｂ内への異物の侵入と風雨の侵入をより防止できるという効果のある外壁端末換気口を提供できることとなる。
【００７５】
（実施の形態１１）
図１９および図２０に示すように、フード部４Ｅの下部開口２２に格子状のガラリ１４Ｂまたは網状のネット１５Ｂをねじ１６等により取り付けて構成する。
【００７６】
上記構成により、フード部４Ｅの下部開口２２にて異物侵入が防止できるとともに、フード部４Ｅの下方向からの風雨巻き込みによる雨水侵入がガラリまたはネットと干渉することでより低減できる。
【００７７】
このように本発明の実施の形態１１の外壁端末換気口によれば、筒状部１内への異物の侵入と風雨の侵入をより防止できることとなる。
【００７８】
（実施の形態１２）
図２１および図２２に示すように、フード部４Ｆの上部開口２３に格子状のガラリ１４Ｃまたは網状のネット１５Ｃを設けて構成とする。
【００７９】
上記構成により、フード部４Ｆの上部の凹部を利用して鳥が巣を作成するなどして不要物が堆積するのを防止でき、また、フード部４Ｆの下部開口２２に異物侵入防止のための格子状のガラリ１４Ｂまたは網状のネット１５Ｂを合わせて使用することで、フード部４Ｆと整流板５Ｃとの隙間からの侵入する異物が低減できるとともに、隙間から侵入した異物によるフード部４Ｆの下部開口２２本体下面のガラリ１４Ｂまたはネット１５Ｂの目詰まりを低減できる。
【００８０】
このように本発明の実施の形態１２の外壁端末換気口によれば、フード部４Ｆの上部開口２３に格子状のガラリ１４Ｃまたは網状のネット１５Ｃを設けたので、特に異物や風雨の侵入と、フード部４Ｆと整流板５Ｃとの隙間から侵入した異物がフード部４Ｆの下部開口２２に設けられるガラリ１４Ｂまたはネット１５Ｂ上に堆積することによる目詰まりをより防止できることとなる。
【産業上の利用可能性】
【００８１】
本発明にかかる外壁端末換気口における整流板の取り付け構成は、風雨の侵入と雨水の滴下音とフード部の通気抵抗を大幅に低減する構成によって、空気調和機、熱交換気扇等に組合せて外壁等に取付けられるフードにも適用できる。
【図面の簡単な説明】
【００８２】
【図１】本発明の実施の形態１の外壁端末換気口の縦断面図
【図２】同外壁端末換気口の平面図
【図３】同外壁端末換気口の斜視図
【図４】本発明の実施の形態２の外壁端末換気口の縦断面図
【図５】本発明の実施の形態３の外壁端末換気口の縦断面図
【図６】同外壁端末換気口の実使用状態を示す縦断面図
【図７】同外壁端末換気口の分解斜視図
【図８】本発明の実施の形態４の外壁端末換気口の平面図
【図９】本発明の実施の形態５の外壁端末換気口の縦断面図
【図１０】同外壁端末換気口の整流板の斜視図
【図１１】同外壁端末換気口のリブの断面図
【図１２】本発明の実施の形態６の外壁端末換気口の縦断面図
【図１３】同外壁端末換気口の整流板の斜視図
【図１４】本発明の実施の形態７の外壁端末換気口の縦断面図
【図１５】本発明の実施の形態８の外壁端末換気口の縦断面図
【図１６】本発明の実施の形態９の外壁端末換気口の縦断面図
【図１７】本発明の実施の形態１０の外壁端末換気口の縦断面図
【図１８】同外壁端末換気口の分解斜視図
【図１９】本発明の実施の形態１１の外壁端末換気口の縦断面図
【図２０】同外壁端末換気口の分解斜視図
【図２１】本発明の実施の形態１２の外壁端末換気口の縦断面図
【図２２】同外壁端末換気口の分解斜視図
【図２３】従来の換気用通風路の斜視図
【図２４】同換気用通風路の縦断面図
【符号の説明】
【００８３】
１      筒状部
１Ａ    筒状部
１Ｂ    筒状部
２      ベース部
２Ａ    ベース部
２Ｂ    ベース部
２Ｃ    ベース部
３      開口部
４      フード部
４Ａ    フード部
４Ｂ    フード部
４Ｃ    フード部
４Ｄ    フード部
４Ｅ    フード部
４Ｆ    フード部
５      整流板
５Ａ    整流板
５Ｂ    整流板
５Ｃ    整流板
５Ｄ    整流板
５Ｅ    整流板
６      上端部
６Ａ    上端部
６Ｂ    上端部
７      内壁
８      下端部
８Ａ    下端部
８Ｂ    下端部
９      中心線
１０    第１の隙間
１０Ａ  第１の隙間
１１    起点部
１１Ａ  起点部
１１Ｂ  起点部
１１Ｃ  起点部
１２    内径
１２Ａ  内径
１３    第２の隙間
１４    ガラリ
１４Ａ  ガラリ
１４Ｂ  ガラリ
１４Ｃ  ガラリ
１５    ネット
１５Ａ  ネット
１５Ｂ  ネット
１５Ｃ  ネット
１７    リブ
１８    第１のフランジ部
１９    折り返し部
２０    上端部分
２０Ａ  上端部分
２１    軟質材
２２    下部開口
２３    上部開口
【図１】
2008215743.tif 000003
【図２】
2008215743.tif 000004
【図３】
2008215743.tif 000005
【図４】
2008215743.tif 000006
【図５】
2008215743.tif 000007
【図６】
2008215743.tif 000008
【図７】
2008215743.tif 000009
【図８】
2008215743.tif 000010
【図９】
2008215743.tif 000011
【図１０】
2008215743.tif 000012
【図１１】
2008215743.tif 000013
【図１２】
2008215743.tif 000014
【図１３】
2008215743.tif 000015
【図１４】
2008215743.tif 000016
【図１５】
2008215743.tif 000017
【図１６】
2008215743.tif 000018
【図１７】
2008215743.tif 000019
【図１８】
2008215743.tif 000020
【図１９】
2008215743.tif 000021
【図２０】
2008215743.tif 000022
【図２１】
2008215743.tif 000023
【図２２】
2008215743.tif 000024
【図２３】
2008215743.tif 000025
【図２４】
2008215743.tif 000026